(57)【要約】      （修正有）【課題】カメラ用ドレープフィルムを収納しカメラと内視鏡の接続を容易にする収納容器及びカメラ用ドレープを提供する。【解決手段】内視鏡が接続されるカメラを覆う円筒状のカメラ用ドレープフィルムＦを収納する収納容器１００において、カメラ用ドレープフィルムＦが載置される環状の底部１１１と外壁部１１２と内壁部１１３とを有する内容器１１０と、環状の天井部１２１と天井部１２１の外周端から下方に延びる壁部１２２とを有する外容器１２０とを備え、内容器１１０と外容器１２０は外壁部１１２の外側面と壁部１２２の内側面が接し内壁部１１３の上端に天井部１２１が被さるように組み合わされ、外壁部１１２を壁部１２２に対し相対的に移動させることによって内壁部１１３の先端と天井部１２１の間に形成される引出部１００ａの間隔が調整される。【選択図】図７
2017074984.tif 000002
【特許請求の範囲】
【請求項１】
内視鏡が接続されるカメラを覆う円筒状のカメラ用ドレープフィルムを収納する収納容器において、
前記円筒状のカメラ用ドレープフィルムが載置される環状の底部と、前記底部の外周端から上方に延びる外壁部と、前記底部の内周端から上方に延び、前記外壁部の高さ以上の高さの内壁部とを有する内容器と、
環状の天井部と、前記天井部の外周端から下方に延びる壁部とを有する外容器と、を備え、
前記内容器と前記外容器は、前記外壁部の外側面と前記壁部の内側面が接し、前記内壁部の上端に前記天井部が被さるように組み合わされ、
前記外壁部を前記壁部に対し相対的に移動させることによって、前記内壁部の先端と前記天井部の間に形成される引出部の間隔が調整されることを特徴とする収納容器。
【請求項２】
前記内壁部は円筒状であり、前記天井部の内周端は円形であることを特徴とする請求項１に記載の収納容器。
【請求項３】
前記内容器の前記外壁部の外側面と、前記外容器の前記壁部の内側面は螺合されることを特徴とする請求項１又は２に記載の収納容器。
【請求項４】
前記カメラ用ドレープフィルムと、前記カメラ用ドレープフィルムを収納する請求項１から３のいずれかに記載の収納容器と、を含むことを特徴とするカメラ用ドレープ。
【発明の詳細な説明】
【技術分野】
【０００１】
本発明は、内視鏡が接続されるカメラを覆うカメラ用ドレープフィルムを収納する収納容器及びそれを備えるカメラ用ドレープに関する。
【背景技術】
【０００２】
近年、身体の負担を軽減した低侵襲医療として、カメラに内視鏡が接続された内視鏡装置を用いた内視鏡手術が行われている。内視鏡手術においては、手術中に体液や薬液が付着することがあり、また内視鏡が体内に挿入するため、清潔な状態で使用する必要がある。そのため、本手術前には、感染予防のために内視鏡とカメラを滅菌処理する必要があり、コストや手間がかかるだけでなく、滅菌によるカメラの劣化等が問題となっている。そこで、カメラ表面における清潔性を確保する必要があり、例えば特許文献１及び２には、円筒状の収納容器に円筒状のカメラ用ドレープフィルムが収納されたカメラ用ドレープを用いて、カメラを円筒状のカメラ用ドレープフィルムで覆うことが記載されている。
【０００３】
特許文献１及び２のカメラ用ドレープは、カメラ用ドレープフィルムの先端部にカメラと内視鏡を接続するための接続部が形成されており、またカメラ用ドレープフィルムの後端部が収納容器の内部で固定されている。そして、特許文献１及び２のカメラ用ドレープの使用方法は例えば、カメラ用ドレープフィルムの先端部の接続部に内視鏡の接続部を合わせ、その状態を維持したままカメラ用ドレープフィルムの内部において、内視鏡の接続部にカメラの接続部を合わせて、カメラ用ドレープフィルムを介して接続し、その後、収納容器を引っ張って収納容器からカメラ用ドレープフィルムを引き出し、カメラ全体を覆うというものである。
【先行技術文献】
【特許文献】
【０００４】
【特許文献１】米国特許第６１２３０８０号
【特許文献２】特開平７−２０４２１１号公報
【発明の概要】
【発明が解決しようとする課題】
【０００５】
ここで、手術室においては、感染防止のため清潔箇所と非清潔箇所が厳重に管理されており、清潔な手袋で非清潔なものに触れた場合、清潔なものに触れることはできず、清潔な手袋を交換しなければならない。カメラが清潔なものであれば、カメラをカメラ用ドレープ（当然、清潔なものである）で覆うことは、清潔手袋の交換が必要なく、一人で可能である。しかしながら、カメラは通常、滅菌処理が行われると不具合や劣化の要因となることから、滅菌処理が行われておらず非清潔箇所にあたる。このため、カメラ用ドレープで覆うとすると、少なくとも、非清潔なカメラを持つ者、清潔な内視鏡及びカメラ用ドレープを持つ者の共同で行わざるをえない。そして、これらの者の共同によるカメラ用ドレープフィルム内部での内視鏡とカメラの位置合わせは思いのほか困難である。内視鏡手術という特殊事情のもと一刻を争う場合もあり、これは重要な課題である。また、特許文献１のカメラ用ドレープは特に、カメラ用ドレープフィルムの後端のみが収納容器の内部において固定されているため、カメラ用ドレープフィルムが引き出されるおそれがあり、カメラ用ドレープフィルム内部での内視鏡とカメラの位置合わせはさらに不安定となる。
【０００６】
そこで本発明は、カメラ用ドレープフィルムを収納しカメラと内視鏡の接続を容易にする収納容器、及びカメラ用ドレープの提供を目的とする。
【課題を解決するための手段】
【０００７】
本発明に係る、内視鏡が接続されるカメラを覆う円筒状のカメラ用ドレープフィルムを収納する収納容器は、前記円筒状のカメラ用ドレープフィルムが載置される環状の底部と、前記底部の外周端から上方に延びる外壁部と、前記底部の内周端から上方に延び、前記外壁部の高さ以上の高さの内壁部とを有する内容器と、環状の天井部と、前記天井部の外周端から下方に延びる壁部とを有する外容器と、を備え、前記内容器と前記外容器は、前記外壁部の外側面と前記壁部の内側面が接し、前記内壁部の上端に前記天井部が被さるように組み合わされ、前記外壁部を前記壁部に対し相対的に移動させることによって、前記内壁部の先端と前記天井部の間に形成される引出部の間隔が調整される。
【０００８】
この構成によれば、内壁部の先端と天井部の間に形成される引出部の間隔が調整されるため、使用時において、引出部に位置するカメラ用ドレープフィルムを内壁部の先端と天井部で挟持し、その状態を維持することができる。これにより、カメラ用ドレープフィルムは収納容器から引き出されず、内視鏡とカメラの接続を容易にすることができる。また、引出部の間隔の調整は、外壁部を壁部に対して相対的に移動させることでできるため、簡単に行うことができる。
【０００９】
また本発明は、前記内壁部は円筒状であり、前記天井部の内周端は円形であるように構成することができる。この構成によれば、カメラ用ドレープフィルムは円筒状であるため、カメラ用ドレープフィルムの引き出しの際、引っかかりなく素早く行うことができる。
【００１０】
また本発明は、前記内容器の前記外壁部の外側面と、前記外容器の前記壁部の内側面は螺合されるように構成することができる。この構成によれば、前記内容器の外壁部と前記外容器の壁部の相対的な移動を容易にすることができる。
【００１１】
また本発明は、カメラ用ドレープフィルムを収納してカメラ用ドレープとして提供することができる。
【発明の効果】
【００１２】
本発明のカメラ用ドレープフィルムを収納する収納容器及びカメラ用ドレープによれば、カメラと内視鏡の接続を容易にすることができる。
【図面の簡単な説明】
【００１３】
【図１】本発明の一実施形態に係る収納容器の斜視図である。
【図２】本発明の一実施形態に係る収納容器の上面図である。
【図３】本発明の一実施形態に係る収納容器の正面図である。
【図４】図２のＸ−Ｘ線断面図である。
【図５】図４における内容器を表した図である。
【図６】図４における外容器を表した図である。
【図７】図４におけるカメラ用ドレープフィルムを収納した状態を表した図である。
【図８】本発明の他の実施形態に係る断面図である。
【発明を実施するための形態】
【００１４】
以下、本発明の一実施形態に係るカメラ用ドレープフィルムを収納する収納容器について、図面を参照しながら説明する。
【００１５】
＜収納容器＞
図１は収納容器１００の斜視図、図２は収納容器１００の上面図、図３は収納容器１００の正面図である。図１から３に示すように、収納容器１００は中空の円筒状のものであって、使用時においては、カメラが下端の開口から上端の開口に向かって中空を通過するように構成されている。図４は、図２における収納容器１００のＸ−Ｘ線断面図である。図４に示すように、収納容器１００は、内容器１１０と、外容器１２０を備え、内容器１１０と外容器１２０が組み合わされて構成されている。内容器１１０と外容器１２０との間には引出部１００ａが形成されており、図７に示すように、使用時においては、この引出部１００ａにカメラ用ドレープフィルムＦが位置し、引出部１００ａからカメラ用ドレープフィルムＦが引き出される。収納容器１００は例えば、ＰＥＴ樹脂などのポリエステル系樹脂、ＡＢＳ樹脂などのスチレン系樹脂、ＰＣ樹脂などのアクリル系樹脂、ポリエチレン系樹脂、ポリプロピレン系樹脂等の高分子樹脂、金属、紙の材料で構成される。収納容器１００において内容器１１０と外容器１２０は、異なる材料で構成させてもよい。
【００１６】
＜内容器＞
図５は、図４における内容器１１０を表した図である。図５に示すように、内容器１１０は、環状の底部１１１と、底部１１１の外周端から上方に延びる外壁部１１２と、底部１１１の内周端から上方に延びる内壁部１１３を有する。ここで環状とは、内側に開口を有する形状のものを意図し、外周端及び内周端の形状(円、三角、四角等)は問われない。底部１１１、外壁部１１２及び内壁部１１３の厚みは例えば０．５から３ｍｍに設定され、それぞれ異なる厚みで構成させてもよい。
【００１７】
環状の底部１１１は、開口からカメラが通過し、また後述する円筒状のカメラ用ドレープフィルムＦを載置させるものであって、底部１１１の内周端の内側は、円筒状のカメラ用ドレープフィルムＦの内径より小さくなるように形成される。内周端と外周端の間の長さは例えば５から２０ｍｍに設定される。内周端の形状は特に限定されないが、カメラ用ドレープフィルムＦの引き出しやすさを考慮すると、円形が好ましい。この場合、内周端の内径は例えば５０から２００ｍｍに設定される。また、外周端の形状も特に限定されないが、収納容器１００の持ちやすさを考慮すると円形が好ましい。この場合、外周端の内径は例えば６０から２４０ｍｍに設定される。本実施形態に係る底部１１１においては、内周端及び外周端共に円形であるリング状に形成されている。
【００１８】
外壁部１１２は、底部１１１の外周端から上方に延びるように形成される。したがって、底部１１１の外周端の形状が例えば四角であると、外壁部１１２は中空の四角柱状となる。外壁部１１２の底部１１１から上端への高さは、引出部１００ａに合わせて設計されるが、例えば５から５０ｍｍに設定される。本実施形態に係る外壁部１１２においては、収納容器１００の持ちやすさを考慮して、円筒状に形成されている。
【００１９】
内壁部１１３は、底部１１１の内周端から上方に延びるように形成される。したがって、底部１１１の内周端の形状が例えば四角であると、内壁部１１３は中空の四角柱状となる。本実施形態に係る内壁部１１３は、使用時におけるカメラ用ドレープの引き出しやすさを考慮して、円筒状に形成されている。内壁部１１３の底部１１１から上端への高さは、外壁部１１２の高さ以上高く構成されており、例えば１０から５０ｍｍに設定される。
【００２０】
＜外容器＞
図６は、図４における外容器１２０を表した図である。図６に示すように、外容器１２０は、環状の天井部１２１と、天井部１２１の外周端から下方に延びる壁部１２２を有する。環状については、前述のとおりである。天井部１２１及び壁部１２２の厚みは例えば０．５から３ｍｍに設定され、それぞれ異なる厚みで構成させてもよい。
【００２１】
天井部１２１は、開口からカメラが通過するものであって、開口は使用するカメラより大きくなるように形成される。また、天井部１２１は、図４に示すように、内壁部１１３の上端に被さるように構成される。これにより、天井部１２１と内壁部１１３の間に引出部１００ａを形成することができる。天井部１２１の内周端の形状は特に限定されないが、カメラ用ドレープフィルムＦの引き出しやすさを考慮すると、円形が好ましい。この場合、内周端の内径は例えば５０から２００ｍｍに設定される。また、天井部１２１の内周端の形状は、内壁部１１３の上端の形状と略一致することが好ましい。外周端の形状は特に限定されないが、収納容器１００の持ちやすさを考慮すると、円形が好ましい。この場合、外周端の中心からの距離は例えば６０から２４０ｍｍに設定される。本実施形態に係る天井部１２１は、内周端及び外周端共に円形であるリング状に形成されている。
【００２２】
壁部１２２は、天井部１２１の外周端から下方に延びるように形成される。また、壁部１２２の内側面は、図４に示すように、内容器１１０の外壁部１１２の外側面と接するように構成される。これにより、内容器１１０の外壁部１１２を、外容器１２０の壁部１２２に対して上下方向に摺動させて、引出部１００ａの間隔を調整することができる。壁部１２２の形状は特に限定されないが、天井部１２１の外周端の形状が例えば四角であると、中空の四角柱状に形成される。壁部１２２の天井部１２１から下端への高さは例えば１０から５０ｍｍに設定され、内壁部１１３の高さと略一致することが好ましい。本実施形態に係る壁部１２２は円筒状に形成されている。また、壁部１２２は断面視において天井部１２１から下方に直角に延びて互いに向かい合った形状で形成されてもよいが、本実施形態に係る壁部１２２は図４に示すように、収納容器１００の持ちやすさを考慮して、断面視において、外壁部１１２の上方付近で屈曲した、くの字が互いに向かい合った形状で形成されている。
【００２３】
＜カメラ用ドレープフィルム＞
カメラ用ドレープフィルムＦは、カメラを覆うものであって、フィルムにより円筒状に形成されている。一方端はカメラが挿入できるように開口されており、他方端はカメラと内視鏡が接続できるように接続部が形成されている（単に開口されているものでもよい）。カメラ用ドレープフィルムＦの折径は使用するカメラの形状に合わせて設定されるが、５０から３００ｍｍが好ましい。折径とは、円筒状のカメラ用ドレープフィルムＦをそのまま平面にひろげた際の平面視における上端から下端までの幅のことをいい、この折径を２倍して円周率で割ることにより内径が求められる。また、一方端から他方端への長さは、使用するカメラの形状に合わせて設定されるが、２０００から５０００ｍｍが好ましい。カメラ用ドレープフィルムＦは、ポリウレタン系樹脂、ポリエチレン系樹脂、ポリアミド系樹脂等の公知の高分子樹脂によって形成される。
【００２４】
カメラ用ドレープフィルムＦは長尺であるが、蛇腹状に手繰り寄せ、収納容器１００に収納できるようにコンパクトにすることができる。また、長手方向に沿って一定間隔で折り返していってコンパクトにすることもできる。この場合、他方端が内径に向かうように（一方端が外径に向かうように）折り返してもよく、反対に、他方端が外径に向かうように（一方端が内径に向かうように）折り返してもよい。間隔は例えば、５から５０ｍｍに設定される。
【００２５】
次に、本発明の一実施形態に係るカメラ用ドレープフィルムＦを収納する収納容器の使用方法について説明する。
【００２６】
内容器１１０を準備し、図７に示すように、底部１１１、外壁部１１２及び内壁部１１３によって囲まれた空間（円状の溝）に、一方端が外径に向かうように折りたたまれたカメラ用ドレープフィルムＦを入れ、底部１１１に載置する。このとき、内壁部１１３の先端はカメラ用ドレープフィルムＦで覆われており、接続部は内容器１１０の略中心に位置する。
【００２７】
次に、壁部１２２の内側が、内容器１１０の外壁部１１２の外側と接触するように、また、天井部１２１が、内容器１１０の内壁部１１３の先端が被さるようにして、外容器１２０を、内容器１１０と組み合わせる。このとき、内壁部１１３の先端と天井部１２１の間に形成された引出部１００ａに、カメラ用ドレープフィルムＦが位置し、内壁部１１３の先端と天井部１２１によって、カメラ用ドレープフィルムＦが挟持される。これにより、カメラ用ドレープフィルムＦが収納容器１００から引き出されず、安定した状態で維持される。
【００２８】
この状態で、底部１１１の開口からカメラを挿入し、カメラ用ドレープフィルムＦの接続部まで導き、カメラと内視鏡を接続する。ここで、底部１１１の開口からカメラを挿入する作業は、カメラを手に持って行うこともできるが、カメラ用ドレープフィルムＦの他方端を下方に向けた状態（内容器１１０と外容器１２０を把持し、天井部１２１を下方に向けた状態）にして、底部１１１の開口からカメラを落とし込むことによって行うことができる。この行為は、従来の収納容器であれば不可能である。なぜなら、カメラ用ドレープフィルムＦは収納容器の内部で一方端のみが固定されているため、下方に向けてしまうと、カメラ用ドレープフィルムＦが滑り出されてしまうからである。カメラ用ドレープフィルムＦがウレタン系樹脂のような腰のない高分子樹脂のとき、円筒形状を保持することができず、収納容器に収納されていたとしても、下方に向けた状態以外では他方端付近でカメラを挿入しにくい場合がある。このような場合であっても、収納容器１００であれば、カメラの落とし込みによってカメラの挿入を行うことができるため、収納容器１００は特に有用といえる。
【００２９】
次いで、壁部１２２と外壁部１１２を互いに上下方向に摺動させて、内壁部１１３の先端と天井部１２１による挟持をゆるませ、収納容器１００をカメラコードに沿って引き、カメラ用ドレープフィルムＦを引出部１００ａから順次繰り出して、カメラ全体を覆う。収納容器１００の内部において、カメラ用ドレープフィルムＦの一方端は固定されていないため、カメラ用ドレープフィルムＦを全て繰り出して、収納容器１００とカメラ用ドレープフィルムＦを分離することができる。また、全てを繰り出さなくても、カメラ用ドレープフィルムＦが折り返されたままの状態で、内容器１１０と外容器１２０を取り外すことができる。このように収納容器１００とカメラ用ドレープフィルムＦが簡単に分離可能なことにより、収納容器１００をカメラコードのカメラが接続されていない側（もちろんカメラが接続された側からも）から取り出すことができ、収納容器１００が不必要な場合、収納容器１００を不潔でない者が触れてしまった場合において、特に有用である。
【００３０】
以上、本発明の一実施形態について説明したが、本発明の具体的な態様は上記実施形態に限定されるものではない。例えば、上記実施形態において、外壁部１１２の外側面と壁部１２２の内側面を単に接するように構成したが、図８に示すように外壁部１１２の外側面に雌ネジ部１１２ａ、壁部１２２の内側面に雄ネジ部１２２ａを形成し（外壁部１１２の外側面に雄ネジ部、壁部１２２の内側面に雌ネジ部を形成してもよい）、互いに螺合するように構成してもよい。これにより、外壁部１１２と壁部１２２の相対的な移動を容易にすることができる。また、引出部１００ａが一定以上閉まらないようにすることができるため、カメラ用ドレープフィルムＦの必要以上の力による挟持を抑え、破損を防止することができる。また、外壁部１１２の外側面と壁部１２２の内側面のいずれか一方に凸部、いずれか他方にそれに対応する凹部を形成し、互いに係合するように構成してもよい。これにより位置合わせの状態を確実に維持することができる。
【符号の説明】
【００３１】
１００    収納容器
１００ａ  引出部
１１０    内容器
１１１    底部
１１２    外壁部
１１２ａ  雌ネジ部
１１３    内壁部
１２１    天井部
１２２    壁部
１２２ａ  雄ネジ部
Ｆ        カメラ用ドレープフィルム
【図１】
2017074984.tif 000003
【図２】
2017074984.tif 000004
【図３】
2017074984.tif 000005
【図４】
2017074984.tif 000006
【図５】
2017074984.tif 000007
【図６】
2017074984.tif 000008
【図７】
2017074984.tif 000009
【図８】
2017074984.tif 000010